(57)【要約】【課題】電装部品の冷却に当たり鋼板によって形成された基板支持部材を用いて放熱することで電装部を覆う外装カバーを大型化することなく、電装部品の冷却効率を維持しながらも製品サイズの小型化を図ることができる画像形成装置を提供すること。【解決手段】発熱量の多い電装部品を搭載した回路基板と前記回路基板の支持部材とを有する画像形成装置において、前記支持部材を熱伝導可能な材質で構成するとともに、前記電装部品を前記支持部材近傍に配置し、前記支持部材と前記電装部品とを熱伝導可能に締結する。【選択図】図２
2005070433.tif 000002
【特許請求の範囲】
【請求項１】
発熱量の多い電装部品を搭載した回路基板と前記回路基板の支持部材とを有する画像形成装置において、
前記支持部材を熱伝導可能な材質で構成するとともに、前記電装部品を前記支持部材近傍に配置し、前記支持部材と前記電装部品とを熱伝導可能に締結したことを特徴とする画像形成装置。
【請求項２】
前記基板支持部材の少なくとも一部が外観に露出していることを特徴とする請求項１記載の画像形成装置。
【請求項３】
発熱量の多い電装部品を搭載した回路基板と、前記電装部品近傍に配置された前記回路基板の支持部材と、該支持部材に近接した外装部材とを有する画像形成装置において、
前記支持部材及び前記外装部材を熱伝導可能な材質で構成し、前記電装部品を前記支持部材と熱伝導可能に締結し、前記支持部材と前記外装部材とを熱伝導可能に締結したことを特徴とする画像形成装置。
【請求項４】
トランジスタやトライアック等の発熱量の多い電装部品を用いたことを特徴とする請求項１又は２記載の画像形成装置。
【請求項５】
鋼板等の金属材料を熱伝導可能材料として用いたことを特徴とする請求項１又は２記載の画像形成装置。
【請求項６】
ビス結合や圧接によって熱伝導を可能としたことを特徴とする請求項１又は２記載の画像形成装置。
【発明の詳細な説明】
【技術分野】
【０００１】
本発明は、例えば、電子写真方式・静電記録方式等の作像プロセスによって記録材（転写材・印字用紙等）に画像情報を形成する手段と、画像形成手段の駆動部及びこの駆動部の制御部、更に上記制御部をはじめとする電装部品に対する給電部である電源基板ユニットを備えた画像形成装置に関する。
【背景技術】
【０００２】
図６に従来の画像形成装置の構造を示す。
【０００３】
画像形成装置には、図示しない画像形成手段の駆動部及びこの駆動部の制御部であるＩＣ等の電装部品を有する制御基板ユニット１、更に上記制御部をはじめとする電装部品に対する給電部である電源基板ユニット２が接続されている。
【０００４】
電源基板ユニット２の基板２ａには、トランス３やフィルタ４等の電装部品が実装され、電源基板ユニット２は、本体側面等に設けられた画像形成手段とは関係のない空間に配置され、その空間は外装カバー５に覆われている。
【０００５】
図７に電源基板ユニット２の断面を示す。
【０００６】
６は鋼板によって形成された基板支持部材６，７は画像形成手段の本体枠７である。基板支持部材６にはフック６ａが設けられ、電源基板ユニット２に設けられた図示しないスリットにフック６ａを係合することで基板支持部材６が電源基板ユニット２を支持している。更に、基板支持部材６を止めるビス８及び基板２ａを止めるビス９によって電源基板ユニット２は画像形成手段の本体枠７に固定されている。
【０００７】
電源基板ユニット２に実装されたトランジスタやトライアック等発熱量の多い電装部品１０にはヒートシンク１１が備えられ、ヒートシンク１１と電装部品１０とは面接触してビス１２によって締結されている。発熱量の多い電装部品１０は、それ自身が良好に動作できるよう冷却される必要があり、十分な蓄熱容量を持った大型のヒートシンク１１と、蓄えられた熱量Ｑ（図７）を放出するに十分な空間をヒートシンク１１の周囲に備えることが必要となる。
【０００８】
【特許文献１】特開平０５−０２７４８７号公報
【発明の開示】
【発明が解決しようとする課題】
【０００９】
上記従来例では、ヒートシンク１１を搭載した電源基板ユニット２は本体側面に設けられて外装カバー５に覆われているが、大型のヒートシンク１１及び蓄えられた熱量Ｑ（図７）を放出する十分な空間を備えるということは、即ち、図６に示すように外装カバー５と電源基板２ａとの間に空間ｄを開けることになり、それによって製品サイズが大きくなるという欠点があった。
【００１０】
本発明は上記事情に鑑みてなされたもので、その目的とする処は、電装部品の冷却に当たり鋼板によって形成された基板支持部材を用いて放熱することで電装部を覆う外装カバーを大型化することなく、電装部品の冷却効率を維持しながらも製品サイズの小型化を図ることができる画像形成装置を提供することにある。
【００１１】
又、本発明は、鋼板によって形成された外装部材を用いて放熱することで電装部品の冷却効率を従来より高めながらも製品サイズの小型化を図ることができる画像形成装置を提供することにある。
【課題を解決するための手段】
【００１２】
上記目的を達成するため、請求項１記載の発明は、発熱量の多い電装部品を搭載した回路基板と前記回路基板の支持部材とを有する画像形成装置において、前記支持部材を熱伝導可能な材質で構成するとともに、前記電装部品を前記支持部材近傍に配置し、前記支持部材と前記電装部品とを熱伝導可能に締結したことを特徴とする。
【００１３】
請求項２記載の発明は、請求項１記載の発明において、前記基板支持部材の少なくとも一部が外観に露出していることを特徴とする。
【００１４】
請求項３記載の発明は、発熱量の多い電装部品を搭載した回路基板と、前記電装部品近傍に配置された前記回路基板の支持部材と、該支持部材に近接した外装部材とを有する画像形成装置において、前記支持部材及び前記外装部材を熱伝導可能な材質で構成し、前記電装部品を前記支持部材と熱伝導可能に締結し、前記支持部材と前記外装部材とを熱伝導可能に締結したことを特徴とする。
【００１５】
請求項４記載の発明は、請求項１又は２記載の発明において、トランジスタやトライアック等の発熱量の多い電装部品を用いたことを特徴とする。
【００１６】
請求項５記載の発明は、請求項１又は２記載の発明において、鋼板等の金属材料を熱伝導可能材料として用いたことを特徴とする。
【００１７】
請求項６記載の発明は、請求項１又は２記載の発明において、ビス結合や圧接によって熱伝導を可能としたことを特徴とする。
【発明の効果】
【００１８】
本発明によれば、基板支持部材をヒートシンクとして活用することにより、従来の大型ヒートシンク及びそれを覆う外装カバーの空間が不要となるため、電装部品の冷却効率を維持しながらも製品サイズの小型化を図ることをができる。
【００１９】
又、本発明によれば、鋼板によって形成された外装部材（リアパネル）を活用して放熱することで従来のヒートシンクよりも冷却効率を高めるとともに、従来の大型ヒートシンク及びそれを覆う外装カバーの空間が不要となるため、製品サイズの小型化を図ることができる。
【発明を実施するための最良の形態】
【００２０】
以下に本発明の実施の形態を添付図面に基づいて説明する。
【００２１】
＜実施の形態１＞
ここでは説明の順序として、先ず、電子写真画像形成装置の全体構成について説明する。
（電子写真画像形成装置の全体構成）
図１を参照して、電子写真画像形成装置の全体構成を説明する。尚、図１はプロセスカートリッジを装着した画像形成装置の全体構成を示す模式説明図である。又、同図では、右側をプリンタ本体Ａの「前」、左側を同じく「後」とする。記録材Ｐの搬送方向については下部が上流側、上部が下流側、左側が搬送下側ということになる。
【００２２】
この電子写真画像形成装置（レーザービームプリンタ）Ａは、電子写真画像形成プロセスによって画像を形成するものである。即ち、図１に示すように、帯電手段によってプロセスカートリッジＢの有するドラム形状の電子写真感光体ドラム（以下「感光体ドラム」と言う）１３に帯電を行い、次いでこの感光体ドラム１３に光学手段１４から画像情報に応じたレーザー光を照射して潜像を形成する。そして、この潜像を現像手段１５によって現像してトナー像を形成するものである。
【００２３】
図１において、Ａはレーザービームプリンタの装置本体であり、１は前記画像形成手段を制御するための各種ＩＣ等を搭載した制御基板ユニットであり、紙面手前側に配置された図示しない電源基板ユニット２と制御基板ユニット１とはハーネスによって接続されている（図２）。１６は画像形成前の記録材Ｐを積載する給紙トレイ１６、Ｂは感光ドラム１３、帯電ローラ（帯電手段）１７、現像装置（現像手段）１５及びクリーニング装置（クリーニング手段）をカートリッジ容器に一体的に組み込んでカートリッジ化したプロセスカートリッジ、１８はプロセスカートリッジＢを本体Ａから脱着する際に開閉する開閉カバー、１９は画像形成後の記録紙を積載する排紙トレイ、２０は製品後方を覆うリアパネルである。
（画像形成装置の動作）
先ず、給紙トレイ１６上で待機していた記録材Ｐは、感光ドラム１３上のトナー像にタイミングを合わせるようにして、給紙ローラ２１により搬送部Ｈに供給され、転写前ガイド２２に沿って記録材Ｐを搬送し、感光体ドラム１３の下側に設けられた転写ローラ２３と感光ドラム１３のニップ部に案内され、感光ドラム１３に形成されたトナー像が転写ローラ２３の回転により記録材Ｐに転写される。
【００２４】
前記感光体ドラム１３からトナー像の転写を受けた記録材Ｐは、定着前ガイド２４で定着手段Ｆへ案内される。定着手段Ｆは、固定支持させた加熱体２５ａと、この加熱体２５ａと摺動する定着部材としての定着フィルム２５ｂから成る定着回転体２５と、この定着フィルム２５ｂを挟んで加熱体２５ａとの圧接ニップ部である定着ニップ部を形成する加圧ローラ２６とを有し、定着フィルム２５ｂと加圧ローラ２６との間に未定着画像を形成担持させた記録材Ｐを導入して搬送通過させることで、定着フィルム２５ｂを介した加熱体２５ａからの熱と加圧力にて未定着画像を記録材面に永久固着画像として熱圧定着させるものである。
【００２５】
定着を終えた記録材Ｐは、加圧ローラ２６により更に下流へ搬送され、排紙ローラ２７へ受け渡されて排紙トレイ１９へ排出される。
（電装部の構成）
図２に電装部の構成を示す。
画像形成装置には、図示しない画像形成手段の駆動部及びこの駆動部の制御部であるＩＣ等の電装部品を有する制御基板ユニット１、更に上記制御部をはじめとする電装部品に対する給電部である電源基板ユニット２が接続されている。
【００２６】
電源基板ユニット２の基板２ａには、トランス３やフィルタ４等の電装部品が実装され、電源基板ユニット２は、本体側面等に設けられた画像形成手段とは関係のない空間に配置されて、その空間は外装カバー５に覆われている。
【００２７】
図３に電源基板ユニット２の断面図を、図４に製品を後方から見た図を示す。
【００２８】
鋼板によって形成された基板支持部材６にはフック６ａが設けられ、電源基板ユニット２に設けられた図示しないスリットにフック６ａを係合することで基板支持部材６が電源基板ユニット２を支持している。
【００２９】
前記電装部品と同様に基板２ａに実装された電源ソケット２８及び電源スイッチ２９は、ユーザー操作によるストレスから破損を防ぐため基板支持部材６で嵌合支持される。更に、基板支持部材６を止めるビス８及び基板２ａを止めるビス９によって電源基板ユニット２全体は画像形成手段の本体枠７に固定される構成となっている。
（ヒートシンクの構成）
電源基板ユニット２に実装されたトランジスタやトライアック等の発熱量の多い電装部品１０は、それ自身が良好に動作できるよう冷却される必要があり、十分な蓄熱容量を持った大型のヒートシンクと蓄えられた熱量Ｑ（図３）を放出するに十分な空間を周囲に備えることが必要となる。
【００３０】
ここで、前記基板支持部材６は、電源ソケット２８及び電源スイッチ２９の支持部材を兼ねていることから十分な大きさ（即ち、十分な蓄熱容量）を備えており、又、図４に示すように、基板支持部材６の一部は製品の外側へ露出していることで熱量Ｑ（図３）を放出する十分な空間を備えている。
【００３１】
本実施の形態では、図２及び図３に示すように、電装部品１０を基板支持部材６の近傍に配置することで、ビス１２を用いて電装部品１０を基板支持部材６に面接触させて固定し、基板支持部材６をヒートシンクとして活用することが可能となる。
【００３２】
＜実施の形態２＞
次に、本発明の実施の形態２について説明する。
【００３３】
本実施の形態における電源基板ユニット２の断面を図５に示す。
【００３４】
前記実施の形態１と同様に、鋼板によって形成された基板支持部材６にはフック６ａが設けられ、電源基板ユニット２に設けられた図示しないスリットにフック６ａを係合することで基板支持部材６が電源基板ユニット２を支持している。基板２ａに実装された図示しない電源ソケット類は、ユーザー操作によるストレスから破損を防ぐために基板支持部材６で嵌合支持され、更に基板支持部材６を止めるビス８及び基板２ａを止めるビス９によって電源基板ユニット２全体は画像形成手段の本体枠７に固定されるよう構成されている。
（ヒートシンクの構成）
電源基板ユニット２に実装されたトランジスタやトライアック等の発熱量の多い電装部品１０は、それ自身が良好に動作できるよう冷却される必要があり、十分な蓄熱容量を持った大型のヒートシンクと蓄えられた熱量Ｑ（図５）を放出するに十分な空間を周囲に備えることが必要となる。
【００３５】
本実施の形態においては、先に全体構成で述べたリアパネル２０は鋼板で形成されており、外装部材であるため十分な大きさ（即ち、十分な蓄熱容量）を備えており、当然製品の外側へ露出していることから熱量Ｑ（図５）を放出する十分な空間を備えている。
【００３６】
本実施の形態では、図５に示すように、電装部品１０を基板支持部材６の近傍に配置してビス１２を用いて基板支持部材６に固定するとともに、ビス８を用いて基板支持部材６をリアパネル２０に接触させて固定し熱伝導経路を構成することで、リアパネル２０をヒートシンクとして活用することが可能となる。
【産業上の利用可能性】
【００３７】
本発明は、複写機、電子写真プリンタ（レーザービームプリンタ、ＬＥＤプリンタ等）その他ワープロ、ビデオプリンタ等に対して適用可能である。
【図面の簡単な説明】
【００３８】
【図１】本発明の実施の形態１に係る画像形成装置全体の構成を示す模式的断面図である。
【図２】本発明の実施の形態１に係る電装部の斜視図である。
【図３】本発明の実施の形態１に係る電装部の部分断面図である。
【図４】本発明の実施の形態１に係る装置全体の背面を示す外観図である。
【図５】本発明の実施の形態２に係る電装部の部分断面図である。
【図６】従来例の電装部の斜視図である。
【図７】従来例の電装部の部分断面図である。
【符号の説明】
【００３９】
１  制御基板ユニット
２  電源基板ユニット
２ａ基板
３  トランス
４  フィルタ
５  外装カバー
６  基板支持部材
６ａフック
７  本体枠
８，９  ビス
１０電装部品
１１ヒートシンク
１２ビス
１３感光体ドラム
１４光学手段
１５現像手段
１６給紙トレイ
１７帯電手段
１８開閉カバー
１９排紙トレイ
２０リアパネル
２１給紙ローラ
２２転写前ガイド
２３転写ローラ
２４定着前ガイド
２５定着回転体
２５ａ  加熱体
２５ｂ  定着フィルム
２６加圧ローラ
２７排紙ローラ
２８電源ソケット
２９電源スイッチ
Ａ  プリンタ装置本体
Ｂ  プロセスカートリッジ
Ｆ  定着手段
Ｐ  記録材
Ｈ  搬送部
ｄ  電装基板から外装面の空間
【図１】
2005070433.tif 000003
【図２】
2005070433.tif 000004
【図３】
2005070433.tif 000005
【図４】
2005070433.tif 000006
【図５】
2005070433.tif 000007
【図６】
2005070433.tif 000008
【図７】
2005070433.tif 000009